(57)【要約】【課題】歯科診療ユニットを収納する収納部の回転扉の開閉に連動してパーテーションを昇降させる。【解決手段】パーテーションの昇降手段は、2本のリンクそれぞれの略中央部がピンを介して回動自在に連結されたパンタグラフ式リンク機構から成り、該パンタグラフ式リンク機構は2本のリンクa,bのうち一方のリンクa下端が扉フレーム10の下端に回動自在に連結されかつ他端がパーテーション5の下端に形成された横長穴8にスライドピン9を介して摺動自在に係合され、また他方のリンクb上端がパーテーション5下端に回動自在に連結されかつ他端が案内車11の回転に連動回転するネジ軸12に螺合する雌ネジ13に回動自在に連結されて成り、案内車11の回転にてネジ軸12を回転することにより水平方向に移動する雌ネジ13にてリンクbの一端を進退動させ、リンクa,bの他端にてパーテーション5を昇降させる。【選択図】図１
2008161538.tif 000002
【特許請求の範囲】
【請求項１】
歯科診療ユニットを収納する収納キャビネットの1面が開閉扉から成り、該回転扉にパーテーションを収納可能に構成すると共に、該パーテーションを開閉扉の開閉に連動して昇降可能に構成したことを特徴とするパーテーションの昇降機構。
【請求項２】
前記開閉扉が回転扉から成り、該回転扉の開放端下部に床面に接して回転する案内車を設け、該回転扉の内部に収納したパーテーションを、該回転扉の開閉時に回転する前記案内車の回転に連動して昇降させる昇降手段を該回転扉に設けたことを特徴とする請求項１記載のパーテーションの昇降機構。
【請求項３】
前記昇降手段が、2本のリンクそれぞれの略中央部がピンを介して回動自在に連結されたパンタグラフ式リンク機構から成り、該パンタグラフ式リンク機構は2本のリンクのうち一方のリンクa下端が扉の下端に回動自在に連結されかつ他端がパーテーションの下端に形成された横長穴にスライドピンを介して摺動自在に係合され、また他方のリンクb上端がパーテーション下端に回動自在に連結されかつ他端が前記案内車の回転力にて回転するネジ軸に螺合する雌ネジに回動自在に連結されて成り、前記案内車の回転にてネジ軸を回転することにより水平方向に移動する雌ネジにてリンクの一端を進退動させることにより、リンクに連結されたパーテーションを昇降させることを特徴とする請求項１記載のパーテーションの昇降機構。
【請求項４】
前記昇降手段が、前記案内車に連動回転するタイミングプーリとタイミングベルトにて構成されたベルト機構から成り、該ベルト機構は上下一対のタイミングプーリを介して回動する一対のタイミングベルトが回転扉の両側方に設けられ、かつ両側下方のタイミングプーリ相互間が、案内車に連動回転する同期シャフトにて連結され、かつパーテーションの両側方下端部が前記両側のタイミングベルトそれぞれに固定されて成ることを特徴とする請求項１記載のパーテーションの昇降機構。
【請求項５】
前記昇降手段が、前記案内車に連動回転するスプロケットとチェーンにて構成されたチェーン機構から成り、該チェーン機構は上下一対のスプロケットが回転扉の両側方に設けられ、かつ両側下方のスプロケット相互間が案内車に連動回転する同期シャフトにて連結され、かつパーテーションの両側方下端部が前記両側のチェーンそれぞれに固定されて成ることを特徴とする請求項１記載のパーテーションの昇降機構。
【請求項６】
歯合する一対の歯車を介して前記案内車の回転を前記同期シャフトに伝達することを特徴とする請求項１、２、３または４記載のパーテーションの昇降機構。
【請求項７】
前記案内車にモータを接続し、モータ駆動にて回転扉を回転させることを特徴とする請求項１から５のいずれかに記載のパーテーションの昇降機構。
【発明の詳細な説明】
【技術分野】
【０００１】
本発明は、パーテーションの昇降機構に関し、特に歯科診療室におけるパーテーションの昇降機構に関する。
【背景技術】
【０００２】
従来のパーテーションは一般に歯科診療室内の所定の位置に固定され、または移動可能に配設されている。これらのパーテーションは診療椅子相互間を仕切って治療中に隣の患者が見えないようにするのが目的であり、そのために十分な高さを有している。
【０００３】
しかしながら、前記従来の固定式パーテーションは移動できないために一方に寄せて空間を有効利用することができない。また移動式であっても背が高いために収納時に圧迫感を感じるなどの問題がある。
【特許文献１】特開2002−201742
【特許文献２】特開2002−349145
【発明の開示】
【発明が解決しようとする課題】
【０００４】
解決しようとする問題点は、パーテーションを使用しないときはパーテーションの背を低くして収納すると共に、移動することが可能で、使用するときは背を高くして使用体勢にすることができるパーテーションを提供することである。
【課題を解決するための手段】
【０００５】
本発明は、歯科診療ユニットを収納する収納キャビネットの開閉扉にパーテーションを収納可能に構成すると共に、開閉扉の開閉に連動してパーテーションを昇降可能に構成したことを特徴とする。
【発明の効果】
【０００６】
本発明のパーテーションの昇降機構は、歯科診療ユニットを収納する収納キャビネットの開閉扉にパーテーションを収納して背を低くすることができるので室内に圧迫感を感じない。またパーテーションを使用するときは、開閉扉の開閉に連動してパーテーションを昇降させることができるのでパーテーションを手操作で昇降する必要がない。これによりパーテーションを使用しないときにパーテーションが室内の邪魔者にならなくなり室内空間を有効利用することが可能になるという利点がある。
【発明を実施するための最良の形態】
【０００７】
パーテーションの収納及び使用態勢を容易にする目的を、歯科診療ユニットを収納する収納キャビネットの回転扉にパーテーションを収納すると共に、回転扉の開閉に連動してパーテーションを昇降させる構成にしたことにより実現した。
【実施例１】
【０００８】
図1及び図2は本発明の実施例を示し、図1は歯科診療ユニットを収納する収納キャビネットの回転扉に取り付けたパーテーションを示す図、図2はパンタグラフ式昇降手段を示す正面図である。
【０００９】
図1に示すように歯科診療ユニット1を収納する収納キャビネット2の前面を構成する回転扉3の先端下部に床面16に接して回転する案内車4が設けられている。本実施例はこの回転扉3内にパネル式パーテーション5を収納し、回転扉3を開閉により回転する案内車4の回転に連動してパーテーション5を昇降させるパンタグラフ式昇降手段を回転扉3に設けたものである。
【００１０】
パンタグラフ式昇降手段は、図2に示すように、2本のリンクａ，ｂそれぞれの略中央部がピン7を介して回動自在に連結されたＸ形のパンタグラフ式リンク機構６から成る。このリンク機構6は、Ｘ形に構成した2本のリンクのうち一方のリンクａ下端が扉フレーム10の下端に回動自在に連結されかつ他端がパーテーション5の下端に形成された横長穴8にスライドピン9を介して摺動自在に係合されている。また他方のリンクｂ上端はパーテーション5の下端に回動自在に連結され，一方、扉フレーム10下辺に沿って、案内車4の回転により一対の歯車11を介して回転するネジ軸12とネジ軸12に螺合して進退動する雌ネジ13とが設けられ、雌ネジ13に前記リンクｂの下端が回動自在に連結されている。
【００１１】
この構成のパンタグラフ式リンク機構6は、回転扉3の開閉にて回転する案内車4の回転が歯車11を介してネジ軸12に伝えられ、ネジ軸12に螺合する雌ネジ13が水平方向に移動することによりリンクbの一端が水平方向に進退動する。これによりリンクa,bの上端にてパーテーション5を回転扉3の開閉に連動して昇降させる。なお案内車4の回転軸14は回転扉3の下面に設けたネジ軸12の軸芯より位置が高いので一対の歯車11にて回転を伝動することが可能になっている。また案内車4の回転軸14にモータ15を連結してモータ駆動により回転扉3を開閉してもよい。
【実施例２】
【００１２】
図3から図5は本発明の実施例２を示し、図3はタイミングベルト式昇降手段を示す正面図、図4はタイミングベルトの側面図、図5は連結金具部を示すＡ−Ａ矢視拡大断面図である
本実施例は、前記実施例１においてパンタグラフ式リンク機構の昇降手段を用いたことに替えてタイミングベルト式昇降手段を用いた例である。
【００１３】
タイミングベルト式昇降手段は、図4に示すように、上下のタイミングプーリ17に歯合して確実に回転を伝えるタイミングベル18にてパーテーションを昇降させるタイミングベルト機構27から成る。本実施例では図3に示すようにタイミングプーリ17及びタイミングベルト18は扉フレーム19の両側方に設けられ、両側方下部のタイミングプーリ17は同期シャフト20にて連結され、同期シャフト20は一対の歯車21を介して案内車4の回転軸14に連結されている。
【００１４】
また、タイミングベルト18にはパネル式パーテーション22の両端下部が図3及び図5に示すように連結間具23及び固定金具24にて固定され、固定金具24には扉フレーム19側に設けられたスライドガイドレール25に摺動自在に係合するスライダ26が設けられて、タイミングベルト18の回動によりスライドガイドレール25をガイドにしてパーテーション22が昇降する。これにより回転扉3の開閉に連動してパーテーション22を昇降させることが可能となる。
なお前記実施例1及び2ではパネル式パーテーションを用いた例について説明したがパネル式に限らず枠に幕を張設したパーテーションなど昇降に適したパーテーションであれば使用可能である。またガラス板、プラスチック板などを使用することもできる。
【００１５】
また本実施例ではタイミングベルト式昇降手段を用いた例について述べたが、タイミングベルトに限らず他のベルト例えばＶベルト等を用いてもよい。さらにこれらに限らずチェーン及びスプロケットを用いたチェーン式昇降手段を用いてもよい。この場合もタイミングベルト式昇降手段と同様な作用効果を奏するので重複する説明を省略する。また開閉扉は回転扉に限らずスライド扉であってもよい。
【図面の簡単な説明】
【００１６】
【図１】歯科診療ユニットを収納する収納キャビネットの回転扉に取り付けたパーテーションを示す図である。  （実施例１）
【図２】パンタグラフ式昇降手段を示す正面図である。（実施例１）
【図３】タイミングベルト式昇降手段を示す正面図である。  （実施例２）
【図４】タイミングベルトの側面図である。  （実施例２）
【図５】連結金具部を示すＡ−Ａ矢視拡大断面図である。  （実施例２）
【符号の説明】
【００１７】
1  歯科診療ユニット
2  収納キャビネット
3  回転扉
4  案内車
5,22  パーテーション
6  パンタグラフ式リンク機構
7  ピン
8  横長穴
9  スライドピン
10,19  扉フレーム
11,21  歯車
12  ネジ軸
13  雌ネジ
14  回転軸
15  モータ
16  床面
17  タイミングプーリ
18  タイミングベルト
20  同期シャフト
23  連結金具
24  固定金具
25  スライドガイドレール
26  スライダ
27  タイミングベルト機構
【図１】
2008161538.tif 000003
【図２】
2008161538.tif 000004
【図３】
2008161538.tif 000005
【図４】
2008161538.tif 000006
【図５】
2008161538.tif 000007